【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
支持体、弾性層および表面層を有している帯電部材であって、
該表面層は、
Ｓｉ−Ｏ−Ｍ結合およびＳｉ−Ｏ−Ｔａ結合から選ばれる少なくとも一方の結合、
Ｍ−Ｏ−Ｇｅ結合およびＴａ−Ｏ−Ｇｅ結合から選ばれる少なくとも一方の結合、並びに、
Ｓｉ−Ｏ−Ｇｅ結合、を有している高分子化合物を含み、
該高分子化合物は、
下記式（１）で示される構成単位と、
下記式（２）で示される構成単位と、
下記式（３）で示される構成単位および下記式（４）で示される構成単位から選ばれる少なくとも一方の構成単位と、を有し、
該帯電部材は、その表面から該弾性層に至る亀裂を有し、該亀裂はその縁部が凸状に盛り上がり、それによって該帯電部材は、該表面が粗面にされていることを特徴とする帯電部材：
【化１】
2012237994.tif 000001
［式（１）中、Ｒ１およびＲ２は、各々独立に下記式（５）〜（８）のいずれかを示す； 
【化２】
2012237994.tif 000002
【化３】
2012237994.tif 000003
【化４】
2012237994.tif 000004
【化５】
2012237994.tif 000005
［式（５）〜（８）中、Ｒ３〜Ｒ７、Ｒ１０〜Ｒ１４、Ｒ１９、Ｒ２０、Ｒ２５およびＲ２６は、各々独立に水素原子、炭素数１以上４以下のアルキル基、水酸基、カルボキシル基またはアミノ基を示す。Ｒ８、Ｒ９、Ｒ１５〜Ｒ１８、Ｒ２３、Ｒ２４およびＲ２９〜Ｒ３２は、各々独立に水素原子または炭素数１以上４以下のアルキル基を示す。Ｒ２１、Ｒ２２、Ｒ２７およびＲ２８は、各々独立に水素原子、炭素数１以上４以下のアルコキシル基、または炭素数１以上４以下のアルキル基を示す。ｎ、ｍ、ｌ、ｑ、ｓおよびｔは、各々独立に１以上８以下の整数を示す。ｐおよびｒは、各々独立に４以上１２以下の整数を示す。ｘおよびｙは、各々独立に０または１を示す。「＊」および「＊＊」は、各々、式（１）中のケイ素原子および酸素原子との結合位置を示す。］］、
【化６】
2012237994.tif 000006
［式（３）中、Ｍは、Ｔｉ、ＺｒおよびＨｆの群から選ばれるいずれかの元素を表す。］。
【請求項２】
前記高分子化合物において、前記式（１）中のＲ１及びＲ２が、各々独立に下記式（９）〜（１２）のいずれかで示される請求項１に記載の帯電部材：
【化７】
2012237994.tif 000007
【化８】
2012237994.tif 000008
【化９】
2012237994.tif 000009
【化１０】
2012237994.tif 000010
［式（９）〜（１２）中、Ｎ、Ｍ、Ｌ、Ｑ、ＳおよびＴは、各々独立に１以上８以下の整数を示す。ｘ’およびｙ’は、各々独立に０または１を示す。「＊」および「＊＊」は、各々式（１）中のケイ素原子および酸素原子との結合位置を示す。］。
【請求項３】
前記高分子化合物における、Ｍ、ＴａおよびＧｅの総和とケイ素の原子数比（Ｍ＋Ｔａ＋Ｇｅ）／Ｓｉが０．１０以上１２．５０以下である請求項１または２に記載の帯電部材。
【請求項４】
前記帯電部材の表面粗さＲｚが、５μｍ以上２５μｍ以下である請求項１〜３のいずれか一項に記載の帯電部材。
【請求項５】
前記高分子化合物が、
下記式（１３）で示される構造を有する加水分解性化合物、
下記式（１４）〜（１７）で示される構造を有する加水分解性化合物の少なくとも１種、及び
下記式（１８）で示される加水分解性化合物、の架橋物である請求項１〜４のいずれか１項に記載の帯電部材：
【化１１】
2012237994.tif 000011
［式（１３）中、Ｒ３３は、下記式（１９）〜（２２）のいずれかを示し、Ｒ３４〜Ｒ３６は、各々独立に炭素数１〜４のアルキル基を示す。
式（１４）〜（１８）中、Ｒ３７〜Ｒ５７は、各々独立に炭素数１〜９のアルキル基を示す； 
【化１２】
2012237994.tif 000012
【化１３】
2012237994.tif 000013
【化１４】
2012237994.tif 000014
【化１５】
2012237994.tif 000015
［式（１９）〜（２２）中、Ｒ５８〜Ｒ６０、Ｒ６３〜Ｒ６５、Ｒ７０、Ｒ７１、Ｒ７６およびＲ７７は、各々独立に水素原子、炭素数１〜４のアルキル基、水酸基、カルボキシル基またはアミノ基を示す。Ｒ６１、Ｒ６２、Ｒ６６〜Ｒ６９、Ｒ７４、Ｒ７５およびＲ８０〜Ｒ８３は、各々独立に水素原子または炭素数１〜４のアルキル基を示す。Ｒ７２、Ｒ７３、Ｒ７８およびＲ７９は、各々独立に水素原子、炭素数１以上４以下のアルコキシル基または炭素数１以上４以下のアルキル基を示す。ｎ’、ｍ’、ｌ’、ｑ’、ｓ’およびｔ’は、各々独立に１以上８以下の整数を示す。ｐ’およびｒ’は、各々独立に４以上１２以下の整数を示す。また、「＊」は、式（１３）中のケイ素原子との結合位置を示す。］］。
【請求項６】
前記高分子化合物が、
下記式（１３）で示される構造を有する加水分解性化合物と、
下記式（１４）〜（１７）で示される構造を有する加水分解性化合物の少なくとも１種、
下記式（１８）で示される加水分解性化合物、及び
下記式（２３）で示される構造を有する加水分解性化合物、の架橋物である請求項１〜４のいずれか一項に記載の帯電部材：
【化１６】
2012237994.tif 000016
［式（１３）中、Ｒ３３は、下記式（１９）〜（２２）のいずれかを示し、Ｒ３４〜Ｒ３６は、各々独立に炭素数１〜４のアルキル基を示す。
式（１４）〜（１８）中、Ｒ３７〜Ｒ５７は、各々独立に炭素数１〜９のアルキル基を示す；
【化１７】
2012237994.tif 000017
【化１８】
2012237994.tif 000018
【化１９】
2012237994.tif 000019
【化２０】
2012237994.tif 000020
［式（１９）〜（２２）中、Ｒ５８〜Ｒ６０、Ｒ６３〜Ｒ６５、Ｒ７０、Ｒ７１、Ｒ７６およびＲ７７は、各々独立に水素原子、炭素数１〜４のアルキル基、水酸基、カルボキシル基またはアミノ基を示す。Ｒ６１、Ｒ６２、Ｒ６６〜Ｒ６９、Ｒ７４、Ｒ７５およびＲ８０〜Ｒ８３は、各々独立に水素原子または炭素数１〜４のアルキル基を示す。Ｒ７２、Ｒ７３、Ｒ７８およびＲ７９は、各々独立に水素原子、炭素数１以上４以下のアルコキシル基または炭素数１以上４以下のアルキル基を示す。ｎ’、ｍ’、ｌ’、ｑ’、ｓ’およびｔ’は、各々独立に１以上８以下の整数を示す。ｐ’およびｒ’は、各々独立に４以上１２以下の整数を示す。また、「＊」は、式（１３）中のケイ素原子との結合位置を示す。］］。
【化２１】
2012237994.tif 000021
［式（２３）中、Ｒ８４は、アルキル基またはアリール基を示し、Ｒ８５〜Ｒ８７は、各々独立に炭化水素基を示す。］。
【請求項７】
請求項５に記載の帯電部材の製造方法であって、
（ｉ）前記式（１３）で示される加水分解性化合物と、前記式（１４）〜（１７）で示される加水分解性化合物の少なくとも１種と、前記式（１８）で示される加水分解性化合物とから合成される加水分解縮合物を含むコーティング剤の塗膜を、支持体の外周に配置された弾性層の外周に形成する工程と、
（ｉｉ）該加水分解縮合物のエポキシ基を開裂させて、該加水分解縮合物を架橋させて前記高分子化合物を製造する工程とを有し、
該工程（ｉｉ）において前記塗膜が硬化収縮して亀裂を有する表面層を生成させることを特徴とする帯電部材の製造方法。
【請求項８】
請求項６に記載の帯電部材の製造方法であって、
（ｉ）前記式（１３）で示される加水分解性化合物と、前記式（２３）で示される加水分解性化合物と、前記式（１４）〜（１７）で示される加水分解性化合物の少なくとも１種と、前記式（１８）で示される加水分解性化合物とから合成される加水分解縮合物を含むコーティング剤の塗膜を、支持体の外周に配置された弾性層の外周に形成する工程と、
（ｉｉ）該加水分解縮合物のエポキシ基を開裂させることにより、該加水分解縮合物を架橋させて前記高分子化合物を製造する工程とを有し、
該工程（ｉｉ）において前記塗膜が硬化収縮して亀裂を有する表面層を生成させることを特徴とする帯電部材の製造方法。
【請求項９】
電子写真感光体と、該電子写真感光体を帯電可能に配置されている帯電部材とを有する電子写真装置であって、該帯電部材が、請求項１〜６のいずれか一項に記載の帯電部材であることを特徴とする電子写真装置。
【請求項１０】
電子写真感光体と、該電子写真感光体を帯電させる帯電部材とを有し、電子写真装置の本体に着脱可能に構成されているプロセスカートリッジであって、該帯電部材が、請求項１〜６のいずれか一項に記載の帯電部材であることを特徴とするプロセスカートリッジ。